【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
追跡素子を割り当てる方法であって、
所定の整数ｎにおいて、リスト上のｎ個の連続の潜在的な割当ての各々が異なる源に対応するようにリストを分類することを含む、ダイバーシティ基準にしたがって潜在的な割り当てのリストを分類することと、
複数の追跡素子の中から選択された１つの追跡素子の、潜在的な割り当ての１つへの現在の割り当てを変えることとを含む追跡素子を割り当てる方法。
【請求項２】
エネルギーの測定値にしたがって、潜在的な割り当てのリストを分類することをさらに含む請求項1記載の追跡素子を割り当てる方法。
【請求項３】
エネルギーの測定値にしたがってリストを分類することが、前記ダイバーシティ基準にしたがってリストを分類する前に行なわれる請求項２記載の追跡素子を割り当てる方法。
【請求項４】
潜在的な割り当てのリストが、受信信号インスタンスのリストを含み、リストの各エントリが、対応する受信信号インスタンスの信号強度および時間ずれを含む請求項１記載の追跡素子を割り当てる方法。
【請求項５】
追跡素子を割り当てる方法であって、
所定の整数ｎにおいて、リスト上の最初からｎ個の潜在的な割当ての各々が異なる源に対応するようにリストを分類することを含む、ダイバーシティ基準にしたがって潜在的な割り当てのリストを分類することと、
複数の追跡素子の中から選択された１つの追跡素子の、潜在的な割り当ての１つへの現在の割り当てを変えることとを含む追跡素子を割り当てる方法。
【請求項６】
追跡素子を割り当てる方法が、
潜在的な割り当てのリストを収集することと、
ダイバーシティ基準にしたがって潜在的な割り当てのリストを分類することと、
潜在的な割り当ての分類されたリストにしたがって、追跡素子の組の中の少なくとも1つの現在の割り当てを変更することと、
エネルギーの測定値にしたがって、潜在的な割当てのリストを分類することとを含み、
ダイバーシティ基準にしたがう前記分類と、およびエネルギーの測定値にしたがう前記分類の後で、潜在的な割当ての分類されたリストの少なくとも一部分の順序に、ダイバーシティ基準にしたがってバイアスをかける追跡素子を割り当てる方法。
【請求項７】
少なくとも１つの追跡素子を、割り当てに使用可能であると表示することをさらに含む請求項６記載の追跡素子を割り当てる方法。
【請求項８】
潜在的な割り当てのリストの少なくとも１つのサブセットを、追跡素子の組の現在の割り当てに整合させることをさらに含む請求項６記載の追跡素子を割り当てる方法。
【請求項９】
前記整合させることが、追跡素子の現在の割り当ての強度が所定の閾値を越えていないと判断することと、追跡素子を割り当てに使用可能であると表示することとを含む請求項８記載の追跡素子を割り当てる方法。
【請求項１０】
追跡素子が、ロック状態のときに、復調シンボルを出力し、
前記整合させることが、少なくとも１つの追跡素子を、ロック状態のときに、割り当てに使用可能であると表示することを含む請求項８記載の追跡素子を割り当てる方法。
【請求項１１】
追跡素子がロック状態であるかどうかを判断することをさらに含む追跡素子を割り当てる方法であって、
前記整合させることが、少なくとも１つの追跡素子を、ロック状態のときに、割り当てに使用可能であると表示することを含む請求項８記載の追跡素子を割り当てる方法。
【請求項１２】
追跡素子がロック状態であるかどうかの前記判断が、追跡素子の現在の割り当ての信号強度に基づく請求項１１記載の追跡素子を割り当てる方法。
【請求項１３】
潜在的な割り当てのリストが、受信信号インスタンスのリストを含み、リストの各エントリが、対応する受信信号インスタンスの信号強度および時間ずれを含む請求項６記載の追跡素子を割り当てる方法。
【請求項１４】
現在の割り当ての前記変更が、現在の割り当てがダイバーシティ閾値を満たしているかどうかを判断することを含む請求項６記載の追跡素子を割り当てる方法。
【請求項１５】
追跡素子を割り当てる方法であって、
潜在的な割り当てのリストを収集することと、
所定の整数ｎにおいて、リスト上のｎ個の連続の潜在的な割当ての各々が異なる源に対応するようにリストを分類することを含む、ダイバーシティ基準にしたがって潜在的な割り当てのリストを分類することと、
潜在的な割り当ての分類されたリストにしたがって、追跡素子の組の中の少なくとも１つの現在の割り当てを変更することとを含む追跡素子を割り当てる方法。
【請求項１６】
追跡素子を割り当てる方法であって、
潜在的な割り当てのリストを収集することと、
所定の整数ｎにおいて、リスト上のｎの最初からｎ個の潜在的な割当ての各々が異なる源に対応するようにリストを分類することを含む、ダイバーシティ基準にしたがって潜在的な割り当てのリストを分類することと、
潜在的な割り当ての分類されたリストにしたがって、追跡素子の組の中の少なくとも1つの現在の割り当てを変更することとを含む追跡素子を割り当てる方法。
【請求項１７】
追跡素子を割り当てる方法であって、
潜在的な割り当てのリストを収集することと、
ダイバーシティ基準にしたがって潜在的な割り当てのリストを分類することと、
追跡素子の現在の割当てを、カバーされたセルから、これまでカバーされていなかったセルへ変えることを含む、潜在的な割り当ての分類されたリストにしたがって追跡素子の組の中の少なくとも1つの追跡素子の現在の割り当てを変更することとを含む追跡素子を割り当てる方法。
【請求項１８】
移動局の追跡段であって、
入力信号を受信し、かつ入力信号内の信号インスタンスに対応する潜在的な割り当てのリストを収集するように構成され、配置されたサーチャ素子と、
入力信号を受信するように構成され、配置された複数の追跡素子と、
ダイバーシティ基準にしたがって潜在的な割り当てのリストを分類するように構成され、配置された制御装置とを含み、
追跡素子の中の少なくともいくつかが、入力信号内の信号インスタンスに対応する現在の割り当てをもち、
制御装置が、潜在的な割り当ての分類されたリストにしたがって、現在の割り当ての少なくとも１つを変更し、追跡素子の現在の割当てを、カバーされたセルから、これまでカバーされていなかったセルへ変えることによって現在の割当ての少なくとも１つを変更するようにも構成され、配置されている追跡段。
【請求項１９】
追跡素子の各々が、ロック状態のときに、割り当てられた信号インスタンスの復調シンボルを出力するようにも構成され、配置されていて、
制御装置が、少なくとも１つの追跡素子を、ロック状態のときに、割り当てに使用可能であると表示するようにも構成され、配置されている請求項１８記載の追跡段。
【請求項２０】
前記制御装置が、潜在的な割り当てのリストの少なくとも１つのサブセットを、追跡素子の現在の割り当てに整合させるようにも構成され、配置されている請求項１８記載の追跡段。
【請求項２１】
前記制御装置が、現在の割り当てがダイバーシティ閾値を満たしているかどうかを判断するようにも構成され、配置されている請求項１８記載の追跡段。
【請求項２２】
移動局の追跡段であって、
入力信号を受信し、かつ入力信号内の信号インスタンスに対応する潜在的な割り当てのリストを収集するように構成され、配置されたサーチャ素子と、
入力信号を受信するように構成され、配置された複数の追跡素子と、
ダイバーシティ基準にしたがって潜在的な割り当てのリストを分類するように構成され、配置された制御装置とを含み、
追跡素子の少なくともいくつかが、入力信号内の信号インスタンスに対応する現在の割り当てをもち、
制御装置が、潜在的な割り当ての分類されたリストにしたがって、現在の割り当ての少なくとも１つを変更するように構成され、配置され、かつ所定の整数ｎにおいて、分類されたリスト上の最初からｎ個の潜在的な割当てが異なる源に対応するように、ダイバーシティ基準にしたがって潜在的な割り当てのリストを分類するように配置されたティンバ（timber）である追跡段。
【請求項２３】
機械読出し可能符号をもつデータ記憶媒体であって、機械読出し可能符号が、論理素子の配列によって実行可能な命令を含み、前記命令が、追跡素子を割り当てる方法を定め、前記方法が、
潜在的な割り当てのリストを収集することと、
所定の整数ｎにおいて、リスト上の最初からｎ個の潜在的な割当ての各々が異なる源に対応するようにリストを分類することを含む、ダイバーシティ基準にしたがって潜在的な割り当てのリストを分類することと、
潜在的な割り当ての分類されたリストにしたがって、追跡素子の組の中の少なくとも1つの現在の割り当てを変更することとを含むデータ記憶媒体。
【請求項２４】
潜在的な割り当てのリストの少なくとも１つのサブセットを、追跡素子の組の現在の割り当てに整合させることをさらに含むデータ記憶媒体であって、
追跡素子が、ロック状態のときに、復調シンボルを出力し、
前記整合させることが、少なくとも１つの追跡素子を、ロック状態のときに、割り当てに使用可能であると表示することを含む請求項２３記載のデータ記憶媒体。
【請求項２５】
追跡素子がロック状態であるかどうかを判断することが、追跡素子の現在の割り当ての信号強度に基づくことをさらに含む請求項２４記載のデータ記憶媒体。